(57)【要約】【課題】  スパゲッティなどの乾麺を、一人前の分量を微調整可能に計量し、さらに取り分けるのも容易であり、かつ麺の袋のまま収納を容易にした、計量機能つき保存用クリップを提供する。【解決手段】  つまみ（２）を有した押圧部（４）と、その押圧部の力が加わる挟持部（３）に空間を設け、その空間に棒状の乾麺を挟むことによって計量することのできるクリップ（１）を形成し、さらに２枚の接続されたはさみ板（６）にクリップ（１）を装着する事によって袋を密閉することのできる、クリップ。【選択図】  図１
2005036953.tif 000002
【特許請求の範囲】
【請求項１】
つまみ（２）を有した押圧部（４）と、その押圧部の力が加わる挟持部（３）に空間を設け、その空間に棒状の乾麺を挟む事のできるクリップ。
【請求項２】
請求項１のクリップを２枚の接続されたはさみ板（６）に装着し袋を密閉することのできる、クリップ。
【発明の詳細な説明】
【発明の詳細な説明】
【技術分野】
【０００１】  この発明は、スパゲッティなどの乾麺を袋からすばやく一人前を計量して取ることができ、さらに袋を麺の横長方向に開くことによって広く開いた開封口を簡単に密閉することのできる、保存用のクリップである。
【背景技術】
【０００２】  スパゲッティの計量道具は穴に通して計量するタイプの物であった。（特許文献１，２，３）【０００３】
【特許文献】１．特開２００３−０９０７０１
２．特開２００２−０８４９９８
３．特開２００１−０４８２６１
【発明が解決しようとする課題】
【０００４】これには次のような欠点があった。
イ．  スパゲッティを計量するには、麺を束にして穴に通し計量するタイプのものが多く、計量しづらかった。
ロ．  また、それらの計量道具は、１人前、２人前、３人前・・・と、穴の大きさを選び人数分を一度に計ることができるという物であるが、料理の本によっては一人前の量が８０ｇ〜１００ｇと差があり、一人前の微調整ができなかった。また、人によって食べる量も違う。
ハ．  乾麺を保存用容器に入れると、容器内の麺が減っていても、鮮度の関係で新しい麺を追加補充することはなく、容器内の麺が完全に無くなってからでないと、新しい麺を入れることはなかった。そのため、中身が少なくても容器の分はかさばっており、さらにストック用の場所が必要となり収納に不便なことがあった。
ニ．  多くの人は、スパゲッティなどの長い棒状の乾麺は、麺の断面方向の一端を開いてしまうが、そうすると袋の余白が少なくクリップや輪ゴム等で留めることが困難であった。しかし、横長方向を開くと開口部が広すぎて、対応するクリップが無かった。
本発明は、以上の欠点を解決するために発明されたものである。
【課題を解決するための手段】
【０００５】  つまみ（２）を有した押圧部（４）と、その押圧部の力が加わる挟持部（３）に空間を設け、その空間に棒状の乾麺を挟むことによって計量することのできるクリップ（１）を形成する。さらに２枚の接続されたはさみ板（６）にクリップ（１）を装着する事によって袋を密閉することのできる、クリップ。
【発明を実施するための最良の形態】
【０００６】  以下、本発明の実施の形態について説明をする。
（イ）  押圧部（４）のつまみ（２）を押し合わせることによってクリップ（１）の挟持部（３）が開き、閉じているときは挟持部（３）に空間を設けたクリップ（１）を形成する。
（ロ）  長尺状の２枚のはさみ板（６）の、片側長辺どうしを接続部（７）により開閉自在に取り付け、他辺の内側には２枚のはさみ板（６）が合わさったときに勘合するように凹凸（８）を設ける。また、外側には溝（５）を設ける。
（ハ）  クリップ（１）の挟持部（３）には、２箇所に１０ｇ計量パーツ（１２）を付け外し自在に設ける。
本発明は以上の構成よりなっている。
本発明はスパゲッティなど棒状の乾麺を、麺が横になるように口を広く開けた袋から直接に、クリップ（１）の押圧部（４）のつまみ（２）をつまんで挟持部（３）を広げ、麺（１１）の束に差し込みつまみ（２）を元に戻すと、挟持部（３）の空間に一人前の麺が挟まれる。数人分の計量が必要ならば、この動作を人数分行えばよい。
また保存のときには、袋（９）を横長方向に開いたことで、広く開いた開封口（１０）を、接続部（７）を介した２枚のはさみ板（６）に挟み、はさみ板（６）の外側面に設けた溝（５）にクリップ（１）の挟持部（３）を嵌めるように止める。溝（５）は挟持部（３）の開口辺の幅、長さに合わせた大きさであり、クリップ（１）が一定の位置で固定できるので、押圧部（４）の閉じる力はさみ板（６）に効果的に伝わり、さらにはさみ板（６）の内側面の凹凸（８）により、挟んだ袋（９）がずれたりはずれたりすることもない。
さらに、挟持部（３）に１個につき１０ｇ分の１０ｇ計量パーツ（１２）を
取り付け自在に設けることによって、一人前の分量を１０ｇ単位で計量することが可能となる。なお、本発明の実施例として次のような構成を発明者としては創作している。図９において挟持部（３）の内径面積を１０ｇ分減らすための各パーツと取り付け方法を示す。
Ａ．挟持部（３）の内径面積を、一本につき１０ｇの三日月形の半円柱な１０ｇ計量パーツ（１２）に、挟持部（３）の内径と隣接する面につけはずし自在な粘着剤をつけたものを、クリップ（１）の挟持部（３）の内側に取り付ける。
Ｂ．挟持部（３）の内径面積を、一本につき１０ｇの三日月形の半円柱な１０ｇ計量パーツ（１２）に、挟持部（３）の内径と隣接する面に数箇所ほどの突起物（１３）を設け、クリップ（１）の挟持部（３）には嵌合するように穴（１４）を設け、つけはずし可能に挟持部（３）の内側に取り付ける。
Ｃ．挟持部（３）の内径面積を、１０ｇ分の面積を減らすような位置に、挟持部（３）の内側に溝（１５）を設け、薄板状の１０ｇ計量パーツ（１２）をスライドさせて取り外し可能にクリップ（１）の挟持部（３）の内側に取り付ける。
Ｄ．挟持部（３）の内径面積を、１０ｇ分の面積を減らすように、取り外し可能に外側から１０ｇ計量パーツ（１２）を嵌め込むように取り付ける。
【発明の効果】
【０００７】  本発明を使用することによって、レシピの違いによるスパゲッティの分量も正確かつ簡単に一人前を計量することができる。また女性や子供など、食べる人によっても量が違うので、作りすぎを防ぐことができる。一人前を簡単にとりわける事ができるので、人数が多くなっても、同じ動作を繰り返すだけでよい。
袋を横長に開くことによって、麺を簡単に取り出せることができるが、これほど長い開封口をクリップで止めるとなると、細い隙間に袋が開かないように差し込んだりするので、非常に留めにくいものである。この発明品を使用すると、まず、はさみ板（６）を開き半面のはさみ板の凹凸（８）部分にかぶるように袋（９）の開封口（１０）を置き、その上にもう半面のはさみ板（６）を乗せるように挟むので、確実に開封口（１０）を挟むことができる。そのはさみ板の両外側に設けられた、溝（５）にクリップ（１）の挟持部（３）を嵌めると、効率よくはさみ板（６）に力が加わり、開封口（１０）を閉じることができる。
この発明品を使用すると、袋のままでも衛生的に保存できるので、麺の専用保存容器の必要はない。保存容器に入れると、中身が少なくなっても、収納スペースは変わらないが、これを使用すると麺の量が減れば、その分収納スペースが空く。
クリップ（１）を保存用クリップとして共用することで、麺の袋を開いたときに必ずクリップ（１）があり、計量が必要なときに紛失することもない。
【図面の簡単な説明】
【図１】  本発明の斜視図
【図２】  本発明の分解斜視図
【図３】  本発明の側面図
【図４】  本発明のクリップの構造斜視図
【図５】  本発明の実施形態の斜視図
【図６】  本発明の実施形態の斜視図
【図７】  本発明の使用状態の斜視図
【図８】  本発明のクリップによる計量状態の斜視図
【図９】  本発明の１０ｇ計量パーツとその実施例の図でありＡは粘着タイプの１０ｇ計量パーツの実施例Ｂは突起物を設けた１０ｇ計量パーツの実施例Ｃは薄板状の１０ｇ計量パーツの実施例Ｄは外側からはめ込むタイプの１０ｇ計量パーツの実施例  である。
【符号の説明】
１  クリップ
２  つまみ
３  挟持部
４  押圧部
５  溝
６  はさみ板
７  接続部
８  凹凸
９  袋
１０  開封口
１１  麺
１２  １０ｇ計量パーツ
１３  突起
１４  穴
１５  溝
【図１】
2005036953.tif 000003
【図２】
2005036953.tif 000004
【図３】
2005036953.tif 000005
【図４】
2005036953.tif 000006
【図５】
2005036953.tif 000007
【図６】
2005036953.tif 000008
【図７】
2005036953.tif 000009
【図８】
2005036953.tif 000010
【図９】
2005036953.tif 000011